(57)【特許請求の範囲】
【請求項１】
用紙内の欄に関する定義であるフォーム定義に対して割り当てる用紙識別情報の個数を受け付ける受付手段と、
前記受付手段によって受け付けられた個数と、用紙を識別する情報である用紙識別情報の使用可能な個数を比較する比較手段と、
前記比較手段による比較の結果、前記受付手段によって受け付けられた個数が用紙識別情報の使用可能な個数以下の場合は、使用可能な用紙識別情報のうちの前記受付手段によって受け付けられた個数と同じ、又は、それ以上の用紙識別情報を定義識別情報群として前記フォーム定義に対して割り当てる情報割当手段と、
前記定義識別情報群に含まれる用紙識別情報を、以後の割り当てとして禁止する禁止手段と、
前記定義識別情報群と、前記フォーム定義とを対応付ける対応付手段
を具備し、
前記用紙識別情報は、該用紙識別情報を表す情報画像を前記用紙に印刷するための情報である
ことを特徴とする情報処理装置。
【請求項２】
前記フォーム定義に対して割り当てられた前記定義識別情報群に含まれる用紙識別情報を示す画像である情報画像を生成する生成手段と、
前記生成手段によって生成された情報画像を文書情報に重ね合わせて、用紙に印刷する印刷手段
をさらに具備することを特徴とする請求項１に記載の情報処理装置。
【請求項３】
文書情報が印刷された用紙に対する筆記と、該用紙を識別する情報である用紙識別情報を筆記情報として受け付ける受付手段と、
前記受付手段によって受け付けられた筆記情報内の用紙識別情報に対応する文書を取り出せるか否かを判断する第１の判断手段と、
前記第１の判断手段によって取り出せないと判断した場合は、定義識別情報群とフォーム定義とを対応付けて記憶している第１の記憶手段から、該用紙識別情報を含む定義識別情報群と対応付けられているフォーム定義を取り出せるか否かを判断する第２の判断手段と、
前記第２の判断手段によって取り出せると判断した場合は、前記第１の記憶手段から、前記フォーム定義を取り出す取出手段と、
前記取出手段によって取り出されたフォーム定義に基づいて、文書を生成する生成手段と、
前記生成手段によって生成された文書に、前記受付手段によって受け付けられた筆記情報内の筆記を重ね合わせる重合手段
を具備することを特徴とする情報処理装置。
【請求項４】
前記第２の判断手段によって取り出せないと判断した場合は、前記受付手段によって受け付けられた筆記情報を第２の記憶手段に記憶させるように制御する記憶制御手段
をさらに具備することを特徴とする請求項３に記載の情報処理装置。
【請求項５】
前記第２の判断手段は、前記第１の記憶手段に定義識別情報群とフォーム定義の新たな組み合わせが記憶された場合に、前記第２の記憶手段に記憶された筆記情報内の用紙識別情報を含む群と対応付けられているフォーム定義を、該第１の記憶手段から取り出せるか否かを判断する
ことを特徴とする請求項４に記載の情報処理装置。
【請求項６】
コンピュータを、
用紙内の欄に関する定義であるフォーム定義に対して割り当てる用紙識別情報の個数を受け付ける受付手段と、
前記受付手段によって受け付けられた個数と、用紙を識別する情報である用紙識別情報の使用可能な個数を比較する比較手段と、
前記比較手段による比較の結果、前記受付手段によって受け付けられた個数が用紙識別情報の使用可能な個数以下の場合は、使用可能な用紙識別情報のうちの前記受付手段によって受け付けられた個数と同じ、又は、それ以上の用紙識別情報を定義識別情報群として前記フォーム定義に対して割り当てる情報割当手段と、
前記定義識別情報群に含まれる用紙識別情報を、以後の割り当てとして禁止する禁止手段と、
前記定義識別情報群と、前記フォーム定義とを対応付ける対応付手段
として機能させ、
前記用紙識別情報は、該用紙識別情報を表す情報画像を前記用紙に印刷するための情報である
ことを特徴とする情報処理プログラム。
【請求項７】
コンピュータを、
文書情報が印刷された用紙に対する筆記と、該用紙を識別する情報である用紙識別情報を筆記情報として受け付ける受付手段と、
前記受付手段によって受け付けられた筆記情報内の用紙識別情報に対応する文書を取り出せるか否かを判断する第１の判断手段と、
前記第１の判断手段によって取り出せないと判断した場合は、定義識別情報群とフォーム定義とを対応付けて記憶している第１の記憶手段から、該用紙識別情報を含む定義識別情報群と対応付けられているフォーム定義を取り出せるか否かを判断する第２の判断手段と、
前記第２の判断手段によって取り出せると判断した場合は、前記第１の記憶手段から、前記フォーム定義を取り出す取出手段と、
前記取出手段によって取り出されたフォーム定義に基づいて、文書を生成する生成手段と、
前記生成手段によって生成された文書に、前記受付手段によって受け付けられた筆記情報内の筆記を重ね合わせる重合手段
として機能させるための情報処理プログラム。
【発明の詳細な説明】
【技術分野】
【０００１】
本発明は、情報処理装置及び情報処理プログラムに関する。
【背景技術】
【０００２】
特許文献１には、筆記情報を扱う際の利便性を向上することを課題とし、端末装置、文書サーバ、識別情報サーバからなるシステムであり、端末装置は、電子ペンから得た位置情報に基づいて筆記生成部により筆記情報を生成し、電子ペンから得た識別情報と共に識別情報サーバに送信し、識別情報サーバは、受信した識別情報に対応する電子文書に対する複製文書へのリンク情報に筆記情報を付加した筆記ファイルをファイル生成部により生成し、端末装置に送信し、端末装置は、受信した筆記ファイルをファイル管理部により管理し、筆記ファイルの操作に応じて、リンク情報に基づいて文書サーバに電子文書の取得を要求し、文書サーバは、要求された電子文書を文書取得部により取得し、端末装置に送信することが開示されている。
【先行技術文献】
【特許文献】
【０００３】
【特許文献１】特開２００７−２８６６９８号公報
【発明の概要】
【発明が解決しようとする課題】
【０００４】
本発明は、用紙に情報画像を印刷するために必要な情報である用紙識別情報を、定義識別情報として用紙内の欄に関する定義であるフォーム定義に対応付けることができるようにした情報処理装置及び情報処理プログラムを提供することを目的としている。
【課題を解決するための手段】
【０００５】
かかる目的を達成するための本発明の要旨とするところは、次の各項の発明に存する。
請求項１の発明は、用紙内の欄に関する定義であるフォーム定義に対して割り当てる用紙識別情報の個数を受け付ける受付手段と、前記受付手段によって受け付けられた個数と、用紙を識別する情報である用紙識別情報の使用可能な個数を比較する比較手段と、前記比較手段による比較の結果、前記受付手段によって受け付けられた個数が用紙識別情報の使用可能な個数以下の場合は、使用可能な用紙識別情報のうちの前記受付手段によって受け付けられた個数と同じ、又は、それ以上の用紙識別情報を定義識別情報群として前記フォーム定義に対して割り当てる情報割当手段と、前記定義識別情報群に含まれる用紙識別情報を、以後の割り当てとして禁止する禁止手段と、前記定義識別情報群と、前記フォーム定義とを対応付ける対応付手段を具備し、前記用紙識別情報は、該用紙識別情報を表す情報画像を前記用紙に印刷するための情報であることを特徴とする情報処理装置である。
【０００６】
請求項２の発明は、前記フォーム定義に対して割り当てられた前記定義識別情報群に含まれる用紙識別情報を示す画像である情報画像を生成する生成手段と、前記生成手段によって生成された情報画像を文書情報に重ね合わせて、用紙に印刷する印刷手段をさらに具備することを特徴とする請求項１に記載の情報処理装置である。
【０００７】
請求項３の発明は、文書情報が印刷された用紙に対する筆記と、該用紙を識別する情報である用紙識別情報を筆記情報として受け付ける受付手段と、前記受付手段によって受け付けられた筆記情報内の用紙識別情報に対応する文書を取り出せるか否かを判断する第１の判断手段と、前記第１の判断手段によって取り出せないと判断した場合は、定義識別情報群とフォーム定義とを対応付けて記憶している第１の記憶手段から、該用紙識別情報を含む定義識別情報群と対応付けられているフォーム定義を取り出せるか否かを判断する第２の判断手段と、前記第２の判断手段によって取り出せると判断した場合は、前記第１の記憶手段から、前記フォーム定義を取り出す取出手段と、前記取出手段によって取り出されたフォーム定義に基づいて、文書を生成する生成手段と、前記生成手段によって生成された文書に、前記受付手段によって受け付けられた筆記情報内の筆記を重ね合わせる重合手段を具備することを特徴とする情報処理装置である。
【０００８】
請求項４の発明は、前記第２の判断手段によって取り出せないと判断した場合は、前記受付手段によって受け付けられた筆記情報を第２の記憶手段に記憶させるように制御する記憶制御手段をさらに具備することを特徴とする請求項３に記載の情報処理装置である。
【０００９】
請求項５の発明は、前記第２の判断手段は、前記第１の記憶手段に定義識別情報群とフォーム定義の新たな組み合わせが記憶された場合に、前記第２の記憶手段に記憶された筆記情報内の用紙識別情報を含む群と対応付けられているフォーム定義を、該第１の記憶手段から取り出せるか否かを判断することを特徴とする請求項４に記載の情報処理装置である。
【００１０】
請求項６の発明は、コンピュータを、用紙内の欄に関する定義であるフォーム定義に対して割り当てる用紙識別情報の個数を受け付ける受付手段と、前記受付手段によって受け付けられた個数と、用紙を識別する情報である用紙識別情報の使用可能な個数を比較する比較手段と、前記比較手段による比較の結果、前記受付手段によって受け付けられた個数が用紙識別情報の使用可能な個数以下の場合は、使用可能な用紙識別情報のうちの前記受付手段によって受け付けられた個数と同じ、又は、それ以上の用紙識別情報を定義識別情報群として前記フォーム定義に対して割り当てる情報割当手段と、前記定義識別情報群に含まれる用紙識別情報を、以後の割り当てとして禁止する禁止手段と、前記定義識別情報群と、前記フォーム定義とを対応付ける対応付手段として機能させ、前記用紙識別情報は、該用紙識別情報を表す情報画像を前記用紙に印刷するための情報であることを特徴とする情報処理プログラムである。
【００１１】
請求項７の発明は、コンピュータを、文書情報が印刷された用紙に対する筆記と、該用紙を識別する情報である用紙識別情報を筆記情報として受け付ける受付手段と、前記受付手段によって受け付けられた筆記情報内の用紙識別情報に対応する文書を取り出せるか否かを判断する第１の判断手段と、前記第１の判断手段によって取り出せないと判断した場合は、定義識別情報群とフォーム定義とを対応付けて記憶している第１の記憶手段から、該用紙識別情報を含む定義識別情報群と対応付けられているフォーム定義を取り出せるか否かを判断する第２の判断手段と、前記第２の判断手段によって取り出せると判断した場合は、前記第１の記憶手段から、前記フォーム定義を取り出す取出手段と、前記取出手段によって取り出されたフォーム定義に基づいて、文書を生成する生成手段と、前記生成手段によって生成された文書に、前記受付手段によって受け付けられた筆記情報内の筆記を重ね合わせる重合手段として機能させるための情報処理プログラムである。
【発明の効果】
【００１２】
請求項１の情報処理装置によれば、用紙に情報画像を印刷するために必要な情報である用紙識別情報を、定義識別情報として用紙内の欄に関する定義であるフォーム定義に対応付けることができる
【００１３】
請求項２の情報処理装置によれば、フォーム定義に対して定義識別情報として割り当てられた用紙識別情報をもとにして作成された情報画像を用紙に印刷することができる。
【００１４】
請求項３の情報処理装置によれば、用紙識別情報に対応する文書を取り出せない場合にあっても、用紙識別情報に対応する文書を生成して、同文書に筆記を重ね合わせることができる。
【００１５】
請求項４の情報処理装置によれば、用紙識別情報を用いてフォーム定義を取り出せない場合にあって、筆記情報を記憶させることができる。
【００１６】
請求項５の情報処理装置によれば、定義識別情報群とフォーム定義の新たな組み合わせが記憶された場合に、まだどの文書にも重ね合わせられていない筆記情報に対しても、対応する文書を生成し、筆記情報を同文書に重ね合わせることが可能になる。
【００１７】
請求項６の情報処理プログラムによれば、用紙に情報画像を印刷するために必要な情報である用紙識別情報を、定義識別情報として用紙内の欄に関する定義であるフィールド定義に対応付けることができる。
【００１８】
請求項７の情報処理プログラムによれば、用紙識別情報に対応する文書を取り出せない場合にあっても、用紙識別情報に対応する文書を生成して、同文書に筆記を重ね合わせることができる。
【図面の簡単な説明】
【００１９】
【図１】本実施の形態の構成例についての概念的なモジュール構成図である。
【図２】本実施の形態を実現化する場合のシステム例を示す説明図である。
【図３】情報画像が印刷された電子ペン用紙の例を示す説明図である。
【図４】電子ペン内の構成例を示す説明図である。
【図５】電子ペンによる処理例を示すフローチャートである。
【図６】帳票イメージ、フィールド定義の例を示す説明図である。
【図７】本実施の形態で取り扱う情報画像（ドットコード画像）の例を示す説明図である。
【図８】本実施の形態における情報の符号化処理例及び情報画像（ドットコード画像）の生成処理例を示す説明図である。
【図９】電子文書管理テーブルのデータ構造例を示す説明図である。
【図１０】フィールド定義テーブルのデータ構造例を示す説明図である。
【図１１】紙ＩＤ・フォーム定義対応テーブルのデータ構造例を示す説明図である。
【図１２】紙ＩＤ空間付きフォーム定義生成システムの構成例についての概念的なモジュール構成図である。
【図１３】紙ＩＤ空間付きフォーム定義生成システムによる処理例を示すフローチャートである。
【図１４】電子ペン用紙印刷システムの構成例についての概念的なモジュール構成図である。
【図１５】電子ペン用紙印刷システムによる処理例を示すフローチャートである。
【図１６】本実施の形態の構成例についての概念的なモジュール構成図である。
【図１７】筆記情報処理システムの構成例についての概念的なモジュール構成図である。
【図１８】筆記情報処理システムによる処理例を示すフローチャートである。
【図１９】筆記情報処理システムによる処理例を示すフローチャートである。
【図２０】本実施の形態を実現するコンピュータのハードウェア構成例を示すブロック図である。
【発明を実施するための形態】
【００２０】
以下、図面に基づき本発明を実現するにあたっての好適な一実施の形態の例を説明する。
図１は、本実施の形態の構成例についての概念的なモジュール構成図を示している。
なお、モジュールとは、一般的に論理的に分離可能なソフトウェア（コンピュータ・プログラム）、ハードウェア等の部品を指す。したがって、本実施の形態におけるモジュールはコンピュータ・プログラムにおけるモジュールのことだけでなく、ハードウェア構成におけるモジュールも指す。それゆえ、本実施の形態は、それらのモジュールとして機能させるためのコンピュータ・プログラム（コンピュータにそれぞれの手順を実行させるためのプログラム、コンピュータをそれぞれの手段として機能させるためのプログラム、コンピュータにそれぞれの機能を実現させるためのプログラム）、システム及び方法の説明をも兼ねている。ただし、説明の都合上、「記憶する」、「記憶させる」、これらと同等の文言を用いるが、これらの文言は、実施の形態がコンピュータ・プログラムの場合は、記憶装置に記憶させる、又は記憶装置に記憶させるように制御するの意である。また、モジュールは機能に１対１に対応していてもよいが、実装においては、１モジュールを１プログラムで構成してもよいし、複数モジュールを１プログラムで構成してもよく、逆に１モジュールを複数プログラムで構成してもよい。また、複数モジュールは１コンピュータによって実行されてもよいし、分散又は並列環境におけるコンピュータによって１モジュールが複数コンピュータで実行されてもよい。なお、１つのモジュールに他のモジュールが含まれていてもよい。また、以下、「接続」とは物理的な接続の他、論理的な接続（データの授受、指示、データ間の参照関係等）の場合にも用いる。「予め定められた」とは、対象としている処理の前に定まっていることをいい、本実施の形態による処理が始まる前はもちろんのこと、本実施の形態による処理が始まった後であっても、対象としている処理の前であれば、そのときの状況・状態に応じて、又はそれまでの状況・状態に応じて定まることの意を含めて用いる。「予め定められた値」が複数ある場合は、それぞれ異なった値であってもよいし、２以上の値（もちろんのことながら、全ての値も含む）が同じであってもよい。また、「Ａである場合、Ｂをする」という意味を有する記載は、「Ａであるか否かを判断し、Ａであると判断した場合はＢをする」の意味で用いる。ただし、Ａであるか否かの判断が不要である場合を除く。
また、システム又は装置とは、複数のコンピュータ、ハードウェア、装置等がネットワーク（１対１対応の通信接続を含む）等の通信手段で接続されて構成されるほか、１つのコンピュータ、ハードウェア、装置等によって実現される場合も含まれる。「装置」と「システム」とは、互いに同義の用語として用いる。もちろんのことながら、「システム」には、人為的な取り決めである社会的な「仕組み」（社会システム）にすぎないものは含まない。
また、各モジュールによる処理毎に又はモジュール内で複数の処理を行う場合はその処理毎に、対象となる情報を記憶装置から読み込み、その処理を行った後に、処理結果を記憶装置に書き出すものである。したがって、処理前の記憶装置からの読み込み、処理後の記憶装置への書き出しについては、説明を省略する場合がある。なお、ここでの記憶装置としては、ハードディスク、ＲＡＭ（Ｒａｎｄｏｍ  Ａｃｃｅｓｓ  Ｍｅｍｏｒｙ）、外部記憶媒体、通信回線を介した記憶装置、ＣＰＵ（Ｃｅｎｔｒａｌ  Ｐｒｏｃｅｓｓｉｎｇ  Ｕｎｉｔ）内のレジスタ等を含んでいてもよい。
【００２１】
用紙識別情報は、用紙を一枚一枚特定するための情報であり、後述の紙ＩＤと同一のものである。用紙識別情報は、その用紙識別情報を表す情報画像が用紙に印刷されることで、用紙を一意に識別することが可能になる。本実施の形態である情報処理装置は、用紙に情報画像を印刷するために必要な情報である用紙識別情報を、定義識別情報として用紙内の欄に関する定義であるフォーム定義に対応付けるものであって、図１の例に示すように、用紙識別情報必要数受付モジュール１００、比較モジュール１１０、割当モジュール１２０、割当禁止モジュール１３０、対応付モジュール１４０を有している。
紙面に電子ペンで筆記することにより、その筆記を電子化した筆記情報を取得する技術に関するものである。こうした技術では、まず、紙面に対し、紙面上の位置に固有な情報画像（符号パターン）を印刷しておく。これにより、電子ペンで紙面に筆記すると、電子ペンがペン先の位置にある情報画像を読み取って復号し、筆記位置を判別する。そして、判別された複数の筆記位置から筆記情報を生成する。
【００２２】
用紙識別情報必要数受付モジュール１００は、比較モジュール１１０と接続されており、用紙内の欄に関する定義を示す情報であるフォーム定義に対応付ける用紙識別情報の個数を受け付ける。「用紙内の欄に関する定義を示す情報」とは、用紙内の欄に記載された筆記を認識等するための情報であって、例えば、その欄がある位置、その欄に記載されるべき文字の範囲等がある。具体的には、図１０に例示のフィールド定義テーブル１０００を用いて後述する。ここで受け付ける「用紙識別情報の個数」は、フォーム定義を用いて印刷される用紙の数である。なお、この個数は、管理者等の操作者によるキーボード等の操作によって受け付けられるものであってもよいし、予め定められた個数を受け付けるようにしてもよい。また、操作者は、用紙識別情報の個数と意識している必要はなく、印刷する用紙の枚数であると意識した数であってもよい。また、用紙として、手書きによる文字等が記載されるものであって、例えば、帳票、アンケート用紙等が該当する。
【００２３】
比較モジュール１１０は、用紙識別情報必要数受付モジュール１００、割当モジュール１２０と接続されており、用紙識別情報必要数受付モジュール１００によって受け付けられた個数と、用紙を識別する情報である用紙識別情報の使用可能な個数を比較する。「用紙識別情報」とは、本実施の形態において用紙を一意に識別し得るようにした情報であり、その用紙識別情報を表す情報画像が用紙に印刷されることで、用紙を一意に識別することが可能になる。用紙識別情報の使用（その用紙識別情報を表す情報画像を用紙に印刷すること）は管理されている。例えば、本実施の形態の使用者に対して、予め定められた範囲の用紙識別情報が設定される。その設定された範囲内で、実際に用紙識別情報が使用された場合に、他の用紙にその用紙識別情報を使用できないようにすることが該当する（後述する割当禁止モジュール１３０の処理参照）。このように管理することによって、用紙識別情報と用紙との１対１の関係を維持する。ここでの比較は、用紙識別情報のうち、まだいずれのフォーム定義にも割り付けられておらず、新規にフォーム定義に割り付けることができる十分な数の用紙識別情報が存在するか否かを判断するためのものである。
【００２４】
割当モジュール１２０は、比較モジュール１１０、割当禁止モジュール１３０と接続されており、比較モジュール１１０による比較の結果、用紙識別情報必要数受付モジュール１００によって受け付けられた個数が用紙識別情報の使用可能な個数以下の場合は、使用可能な用紙識別情報の群を定義識別情報群としてフォーム定義に割り当てる。ここでいう割り当てとは、具体的には、フォーム定義と、同フォーム定義に対応づけられる定義識別情報群との対応を生成すること（後述する図１１に例示の紙ＩＤ・フォーム定義対応テーブル１１００に登録すること）である。
ここで、用紙識別情報必要数受付モジュール１００によって受け付けられた個数と同じ個数の用紙識別情報の群を定義識別情報群としてフォーム定義に割り当ててもよいし、その個数よりも多い用紙識別情報の群を定義識別情報群として割り当ててもよい。さまざまなアクシデントにより、定義識別情報群に含まれる用紙識別情報が有効に使われない可能性は十分に考えられるので、そのリスクの分多めの用紙識別情報の群を割り当てることは有効である。
なお、用紙識別情報必要数受付モジュール１００によって受け付けられた個数が用紙識別情報の使用可能な個数よりも多い場合は、割り当てることができない旨を表示装置に表示し、使用可能な個数以下の個数を指定するようにうながす旨の表示を行う、又は、終了する。
【００２５】
割当禁止モジュール１３０は、割当モジュール１２０、対応付モジュール１４０と接続されており、割当モジュール１２０によって割り当ての対象となった用紙識別情報を、以後の割り当てとして禁止する。「以後の割り当てとして禁止する」とは、以後、用紙識別情報をフォーム定義に割り付けないということであって、例えば、割り当ての対象となった用紙識別情報を、使用可能である用紙識別情報群から削除することをいう。具体的には、用紙識別情報毎に使用可能であるか否かを示すフラグを付しておき、割り当ての対象となった用紙識別情報のフラグを使用不可のフラグにすること、使用可能な用紙識別情報を記憶しているテーブルから割り当ての対象となった用紙識別情報を削除すること等の方法がある。
【００２６】
対応付モジュール１４０は、割当禁止モジュール１３０と接続されており、割当モジュール１２０によって割り当ての対象となった用紙識別情報を定義識別情報群としてフォーム定義に割り当てる。後述する電子ペン用紙印刷システム２２０、筆記情報処理システム２３０によって、用紙識別情報を用いてフォーム定義にアクセスできるようにすることをいう。ここでいう割り当てとは、具体的には、フォーム定義と、同フォーム定義に対応づけられる定義識別情報群との対応づけの情報を電子ペン用紙印刷システム２２０、筆記情報処理システム２３０に渡せるようにすることをいう。
【００２７】
図２は、本実施の形態を実現化する場合のシステム例を示す説明図である。
紙ＩＤ空間付きフォーム定義生成システム２１０、電子ペン用紙印刷システム２２０、筆記情報処理システム２３０がある。電子ペン用紙印刷システム２２０には印刷装置２２５が接続されており、筆記情報処理システム２３０には電子ペン２３５が接続されている。
紙ＩＤ空間付きフォーム定義生成システム２１０は、用紙識別情報（以下、紙ＩＤ（ＩＤｅｎｔｉｆｉｃａｔｉｏｎ）ともいう）と用紙内の欄に関する定義を示す情報とを対応付けるシステムであって、図１に例示のモジュール構成を含んでおり、又は、後述する図１２に例示のモジュール構成を含んでおり、図１３に例示のフローチャートによる処理を行う。電子ペン用紙印刷システム２２０は、紙ＩＤ空間付きフォーム定義生成システム２１０によって対応付けられた紙ＩＤを用いて情報画像（以下、ドットコード画像ともいう）を重ね合わせた文書を用紙に印刷装置２２５を用いて印刷するシステムであって、後述する図１４に例示のモジュール構成を含んでおり、図１５に例示のフローチャートによる処理を行う。筆記情報処理システム２３０は、電子ペン用紙印刷システム２２０によって印刷された用紙に対して電子ペン２３５を用いて筆記が行われた場合に、その筆記情報を文書に重ね合わせるシステムであって、後述する図１６に例示のモジュール構成を含んでおり、又は、図１７に例示のモジュール構成を含んでおり、図１８又は図１９に例示のフローチャートによる処理を行う。
【００２８】
本実施の形態以外の情報処理システムでの電子ペンに関する処理では、電子ペン用紙上に印刷される帳票イメージ、又は、筆記を処理する際に使用するフィールド定義と、用紙に割り当てられる紙ＩＤとの対応関係は、帳票を印刷して電子ペン用紙を作成する際に決定され、その情報処理システム中に記憶される。電子ペンを使用して手書きされた筆記情報を処理する際には、筆記情報から紙ＩＤを取り出し、情報処理システム中に記憶されている情報をたどって帳票イメージや、フィールド定義を取り出す。
しかし、この方法は、電子ペン用紙を印刷するシステムと、筆記情報を処理するシステムの独立性が高い場合には使用できない。例えば、電子ペン用紙を印刷するシステムと筆記情報を処理するシステムが別のシステムであり、さらに通信ネットワークがなく、分離されているような場合がこれにあたる。通信ネットワークとして接続されている場合であっても、電子ペン用紙を印刷するシステムが、筆記情報を処理するシステムに情報を提供する機能をもつには、コストの高いサーバシステムを構築する必要があるような場合もあり、本実施の形態以外の情報処理システムを適用しにくい。
【００２９】
なお、紙ＩＤ空間付きフォーム定義生成システム２１０、電子ペン用紙印刷システム２２０、筆記情報処理システム２３０は、図２に示す例では互いに独立しているが、通信回線（有線、無線、その混合を問わない回線）によって接続されていてもよいし、その一部（例えば、紙ＩＤ空間付きフォーム定義生成システム２１０、電子ペン用紙印刷システム２２０）が通信回線によって接続されていてもよい。なお、本実施の形態では、紙ＩＤ空間付きフォーム定義生成システム２１０によって生成された定義識別情報群とフォーム定義が対応付けられた情報（以下、紙ＩＤ空間付きフォーム定義ともいう）を共有している。
例えば、共有方法としては、以下のようなバリエーションがありうる。
（１）紙ＩＤ空間付きフォーム定義生成システム２１０によって生成された紙ＩＤ空間付きフォーム定義のコピーを紙ＩＤ空間付きフォーム定義生成システム２１０外に取り出すことができる機能が用意されている。そして、取り出した紙ＩＤ空間付きフォーム定義を、電子ペン用紙印刷システム２２０、筆記情報処理システム２３０に登録する機能が用意されている。例えば、紙ＩＤ空間付きフォーム定義生成システム２１０で生成した紙ＩＤ空間付きフォーム定義のコピーを取り出してＵＳＢメモリ等にコピーし、そのＵＳＢメモリを介して電子ペン用紙印刷システム２２０、筆記情報処理システム２３０に登録する。
（２）紙ＩＤ空間付きフォーム定義生成システム２１０と電子ペン用紙印刷システム２２０が単一のシステム中（例えば、紙ＩＤ空間付きフォーム定義生成システム２１０と電子ペン用紙印刷システム２２０が通信回線を介して接続されているシステム等）に共存しており、筆記情報処理システム２３０は独立している場合について、前者の紙ＩＤ空間付きフォーム定義生成システム２１０と電子ペン用紙印刷システム２２０によって構成されているシステムには、ＩＤ空間付きフォーム定義のコピーを同システム外に取り出すことができる機能が用意されており、後者の筆記情報処理システム２３０には、取り出した紙ＩＤ空間付きフォーム定義を登録する機能が用意されている。
【００３０】
図３は、本実施の形態によって、情報画像が印刷された電子ペン用紙３１０の例を示す説明図である。電子ペン用紙３１０は、電子ペン用紙印刷システム２２０が印刷装置２２５を用いて印刷するものである。電子ペン用紙３１０には、ドットコード画像が印刷されている。例えば、電子ペン用紙３１０内の領域３２０には、領域３２０内を拡大して示している図３（ｂ）のようなドットコード画像が印刷されている。ドットコード画像によって、電子ペン用紙３１０一枚一枚に割り当てられたＩＤ（紙ＩＤ）と用紙上の位置情報（Ｘ，Ｙ座標値）が表現されている。
例えば、紙ＩＤは、３２ｂｉｔの空間内の数値である。文字列表記の場合は、１６進文字列により表記する。よって、紙ＩＤの範囲は「００００００００」から「ＦＦＦＦＦＦＦＦ」である。
【００３１】
図４は、電子ペン２３５内の構成例を示す説明図である。
概要を説明する。電子ペン用紙３１０上に電子ペン２３５で筆記する際、圧力センサがＯＮになると、電子ペン用紙３１０上のドットコード画像を撮像し、デコードして、電子ペン用紙３１０の紙ＩＤと電子ペン用紙３１０上の位置情報（Ｘ，Ｙ座標値）を取り出し、メモリに格納する。そして、メモリに格納された情報は、通信回路を経由して筆記情報処理システム２３０に送信する。
次に詳細に説明する。図示するように、電子ペン２３５は、ペン全体の動作を制御する制御回路４０１を備える。また、制御回路４０１は、入力画像から検出したドットコード画像を処理する画像処理部４０１ａと、そこでの処理結果から紙ＩＤ及び位置情報を抽出するデータ処理部４０１ｂとを含む。
そして、制御回路４０１には、電子ペン２３５による筆記動作をペンチップ４０９に加わる圧力によって検出する圧力センサ４０２が接続されている。また、用紙上に赤外光を照射する赤外ＬＥＤ４０３と、画像を入力する赤外ＣＭＯＳ４０４も接続されている。さらに、紙ＩＤ及び位置情報を記憶するための情報メモリ４０５と、外部装置と通信するための通信回路４０６と、ペンを駆動するためのバッテリ４０７と、ペンの識別情報(ペンＩＤ)を記憶するペンＩＤメモリ４０８も接続されている。
【００３２】
ここで、この電子ペン２３５の動作の概略を説明する。
電子ペン２３５による筆記が行われると、ペンチップ４０９に接続された圧力センサ４０２が、筆記動作を検出する。これにより、赤外ＬＥＤ４０３が点灯し、赤外ＣＭＯＳ４０４がＣＭＯＳセンサによって用紙上の画像を撮像する。
なお、赤外ＬＥＤ４０３は、消費電力を抑制するために、ＣＭＯＳセンサのシャッタタイミングに同期させてパルス点灯する。
また、赤外ＣＭＯＳ４０４は、撮像した画像を同時に転送できるグローバルシャッタ方式のＣＭＯＳセンサを使用する。そして、赤外領域に感度があるＣＭＯＳセンサを使用する。また、外乱の影響を低減するために、ＣＭＯＳセンサ全面に可視光カットフィルタを配置している。ＣＭＯＳセンサは、７０ｆｐｓ〜１００ｆｐｓ（ｆｒａｍｅ  ｐｅｒ  ｓｅｃｏｎｄ）程度の周期で、画像を撮像する。なお、撮像素子はＣＭＯＳセンサに限定するものではなく、ＣＣＤ等、他の撮像素子を使用してもよい。
【００３３】
このように撮像した画像が制御回路４０１に入力されると、制御回路４０１は、撮像した画像からドットコード画像を取得する。そして、それを復号し、ドットコード画像に埋め込まれている紙ＩＤ及び位置情報を取得する。
以下、このときの制御回路４０１の動作について説明する。
図５は、電子ペン２３５（制御回路４０１）による処理例を示すフローチャートである。
ステップＳ５０１では、画像処理部４０１ａは、画像を入力する。
ステップＳ５０２では、画像に含まれるノイズを除去するための処理を行う。ここで、ノイズとしては、ＣＭＯＳ感度のばらつきや電子回路により発生するノイズ等がある。ノイズを除去するために如何なる処理を行うかは、電子ペン２３５の撮像系の特性に応じて決定すべきである。例えば、ぼかし処理やアンシャープマスキング等の先鋭化処理を適用することができる。
ステップＳ５０３では、画像処理部４０１ａは、画像からドットパターン（ドット画像の位置）を検出する。例えば、２値化処理によりドットパターン部と背景部とを切り分け、２値化された個々の画像位置からドットパターンを検出することができる。２値化画像にノイズ成分が多数含まれる場合は、例えば、２値化画像の面積や形状によりドットパターンの判定を行うフィルタ処理を組み合わせる必要がある。
【００３４】
また、ステップＳ５０４では、画像処理部４０１ａは、検出したドットパターンを２次元配列上のデジタルデータに変換する。例えば、２次元配列上で、ドットがある位置を「１」、ドットがない位置を「０」というように変換する。そして、この２次元配列上のデジタルデータは、画像処理部４０１ａからデータ処理部４０１ｂへと受け渡される。
次いで、ステップＳ５０５では、データ処理部４０１ｂは、受け渡されたデジタルデータから、図７（ａ）に示した２つのドットの組み合わせからなるビットパターンを検出する。例えば、ビットパターンに対応するブロックの境界位置を２次元配列上で動かし、ブロック内に含まれるドットの数が２つになるような境界位置を検出することにより、ビットパターンを検出することができる。
このようにしてビットパターンが検出されると、ステップＳ５０６では、データ処理部４０１ｂは、ビットパターンの種類を参照することにより、同期符号を検出する。
そして、ステップＳ５０７では、同期符号からの位置関係に基づいて、識別符号及び位置符号を検出する。
その後、ステップＳ５０８では、データ処理部４０１ｂは、識別符号を復号して紙ＩＤを取得し、位置符号を復号して位置情報を取得する。識別符号については、ＲＳ復号処理を施すことで紙ＩＤを得る。一方、位置符号については、読み出した部分系列の位置を、画像生成時に使用したＭ系列と比較することで、位置情報を得る。
【００３５】
図６は、帳票イメージ６１０、フィールド定義６２０の例を示す説明図である。
フォーム定義は、少なくともフィールド定義６２０（用紙内の欄に関する定義を示す情報）を含み、帳票イメージ６１０を加えてもよい。フィールド定義６２０は、筆記情報のうち、データ化する領域を示す情報であり、かつ、データ化する際の属性情報（データ化する際の形式、文字認識する際の使用文字の範囲や、使用辞書の指定）をもつ。フィールド定義６２０には、例えば、記入欄６２２、チェック欄群６２４（チェック欄６２６、チェック欄６２８を含む）等がある。フィールド定義６２０は、具体的には、例えば、フィールド定義テーブル１０００によって定義されている。図１０は、フィールド定義テーブル１０００のデータ構造例を示す説明図である。フィールド定義テーブル１０００は、フォーム定義ＩＤ欄１０１０と複数（電子ペン用紙３１０内にある欄の数）の欄Ｎｏ．欄１０２０によって構成されている。そして、欄Ｎｏ．欄１０２０には、欄Ｎｏ．欄１０２０の他に、Ｘ欄１０２１、Ｙ欄１０２２、Ｗ欄１０２３、Ｈ欄１０２４、データ形式欄１０２５、使用文字範囲欄１０２６、使用辞書欄１０２７が含まれている。フォーム定義ＩＤ欄１０１０は、フォーム定義を本実施の形態で一意に識別する情報を記憶している。欄Ｎｏ．欄１０２０は、フォーム定義内の欄を一意に識別する情報を記憶している。Ｘ欄１０２１は、その欄（矩形）の例えば左上ｘ座標を記憶している。Ｙ欄１０２２は、その欄の例えば左上ｙ座標を記憶している。Ｗ欄１０２３は、その欄の幅を記憶している。Ｈ欄１０２４は、その欄の高さを記憶している。データ形式欄１０２５は、その欄に記載される筆記のデータ形式（例えば、文字、チェックマーク等）を記憶している。使用文字範囲欄１０２６は、その欄に記載される筆記である文字の使用範囲（例えば、英字のみ、カタカナのみ等）を記憶している。使用辞書欄１０２７は、その欄に記載される筆記である文字を認識する際に利用する辞書（例えば、氏名辞書）を記憶している。なお、データ形式欄１０２５、使用文字範囲欄１０２６、使用辞書欄１０２７は、その欄に記入された筆記を認識する際に用いられる。
帳票イメージ６１０は、用紙に印刷される文書情報であり、欄の枠線、欄の名前、アンケート用紙の場合は質問事項等がある。なお、文書情報には情報画像は含まれない。
【００３６】
紙ＩＤ空間付きフォーム定義について説明する。
紙ＩＤ空間付きフォーム定義とは、フォーム定義（帳票イメージ６１０がない場合は実質的にフィールド定義６２０）に、紙ＩＤの部分空間を割り当てたものである。部分空間は「Ｓｔａｒｔ：０００１００００，ｅｎｄ：０００１ＦＦＦＦ」のように規程する。フォーム定義と、同フォーム定義に割り当てられた部分空間の組み合わせを、紙ＩＤ空間付きフォーム定義という。なお、単一の紙ＩＤ空間付きフォーム定義に複数の紙ＩＤの部分空間を割り付けることも可能である。
【００３７】
次に、筆記情報格納用電子文書について説明する。以降、単に電子文書と表記した場合、筆記情報格納用電子文書を指す。
筆記情報格納用電子文書は、電子ペン２３５によって電子ペン用紙３１０に筆記された内容を、フィールド定義６２０（帳票イメージ６１０を含めてもよい）とともにまとめたデータである。以下から構成される。
（１）紙ＩＤ：その筆記情報格納用電子文書に対応付けられた電子ペン用紙に割り当てられている紙ＩＤ
（２）フィールド定義：その筆記情報格納用電子文書への筆記を処理するために使用するフィールド定義
そして、以下を含めてもよい。
（３）帳票イメージ：その筆記情報格納用電子文書に印刷されている帳票イメージ
具体的には、例えば、紙ＩＤ・フォーム定義対応テーブル１１００によって構成されている。図１１は、紙ＩＤ・フォーム定義対応テーブル１１００のデータ構造例を示す説明図である。対応付モジュール１４０が、紙ＩＤ・フォーム定義対応テーブル１１００を生成する。紙ＩＤ・フォーム定義対応テーブル１１００は、識別情報欄１１１０、フォーム定義ＩＤ欄１１２０、帳票イメージＩＤ欄１１３０を有している。識別情報欄１１１０は、フォームに対して割り当てられた定義識別情報群を記憶している。フォーム定義ＩＤ欄１１２０は、フィールドフォーム定義ＩＤを記憶している。帳票イメージＩＤ欄１１３０は、帳票イメージを一意に識別する情報（帳票イメージＩＤ）を記憶している。  紙ＩＤ・フォーム定義対応テーブル１１００は、フォーム定義に割りあてられた定義識別情報群（識別情報欄１１１０内の情報）とフォーム定義ＩＤによって参照可能なフィールド定義テーブル１０００（用紙内の欄に関する定義（フィールド定義）を示す情報））とを対応付けているテーブルである。    
【００３８】
次に、本実施の形態で生成されるドットコード画像の元となるコードパターンについて説明する。
図７は、本実施の形態で取り扱う情報画像（ドットコード画像）の例を示す説明図である。
まず、コードパターンを構成するビットパターンについて説明する。
図７（ａ）に、ビットパターンの配置の一例を示す。
ビットパターンとは、情報埋め込みの最小単位である。ここでは、図７（ａ）に示すように、９箇所の中から選択した２箇所にビットを配置する。図では、黒の四角が、ビットが配置された位置を示し、斜線の四角が、ビットが配置されていない位置を示している。９箇所の中から２箇所を選択する組み合わせは、３６（＝９Ｃ２）通りある。したがって、このような配置方法により、３６通り（約５．２ビット）の情報を表現することができる。
ただし、紙ＩＤ及び位置情報は、この３６通りのうち３２通り（５ビット）を使用して表現するものとする。
ところで、図７（ａ）に示した最小の四角は、６００ｄｐｉにおける２ドット×２ドットの大きさを有している。６００ｄｐｉにおける１ドットの大きさは０．０４２３ｍｍなので、この最小の四角の一辺は、８４．６μｍ（＝０．０４２３ｍｍ×２）である。コードパターンを構成するドットは、大きくなればなるほど目に付きやすくなるため、できるだけ小さいほうが好ましい。ところが、あまり小さくすると、プリンタで印刷できなくなってしまう。そこで、ドットの大きさとして、５０μｍより大きく１００μｍより小さい前記の値を採用している。これにより、プリンタで印刷可能な最適な大きさのドットを形成することができる。つまり、８４．６μｍ×８４．６μｍが、プリンタで安定的に形成可能な最小の大きさなのである。
なお、ドットをこのような大きさにすることで、１つのビットパターンの一辺は、約０．５（＝０．０４２３×２×６）ｍｍとなる。
また、このようなビットパターンから構成されるコードパターンについて説明する。
図７（ｂ）に、コードパターンの配置の一例を示す。
ここで、図７（ｂ）に示した最小の四角が、図７（ａ）に示したビットパターンに相当する。すなわち、紙ＩＤを符号化した識別符号は、１６（＝４×４）個のビットパターンを使用して埋め込まれる。また、Ｘ方向の位置情報を符号化したＸ位置符号と、Ｙ方向の位置情報を符号化したＹ位置符号とは、それぞれ、４個のビットパターンを使用して埋め込まれる。さらに、左上角部に、コードパターンの位置と回転を検出するための同期符号が、１つのビットパターンを使用して埋め込まれる。
なお、１つのコードパターンの大きさは、ビットパターンの５個分の幅に等しいため、約２．５ｍｍとなる。本実施の形態では、このように生成したコードパターンを画像化したコードパターン画像を、用紙全面に配置する。
【００３９】
図８は、本実施の形態における情報の符号化処理例及び情報画像（ドットコード画像）の生成処理例を示す説明図である。
まず、紙ＩＤの符号化について説明する。
紙ＩＤの符号化には、ブロック符号化方式のＲＳ（リードソロモン）符号が使用される。図７で説明した通り、本実施の形態では、５ビットの情報を表現できるビットパターンを用いて情報を埋め込む。したがって、情報の誤りも５ビット単位で発生するため、ブロック符号化方式で符号化効率がよいＲＳ符号を使用している。ただし、符号化方式はＲＳ符号に限定するものでなく、その他の符号化方式、例えば、ＢＣＨ符号等を使用することもできる。
前述したように、本実施の形態では、５ビットの情報量をもつビットパターンを用いて情報を埋め込む。したがって、ＲＳ符号のブロック長を５ビットとする必要がある。そのため、紙ＩＤを５ビットずつに区切り、ブロック化する。図８では、紙ＩＤ「００１１１０１１０１００１…」から、第１のブロック「００１１１」と、第２のブロック「０１１０１」とが切り出されている。
そして、ブロック化された紙ＩＤに対し、ＲＳ符号化処理を行う。図８では、「ｂｌｋ１」、「ｂｌｋ２」、「ｂｌｋ３」、「ｂｌｋ４」、…というようにブロック化した後、ＲＳ符号化が行われる。
ところで、本実施の形態において、紙ＩＤは、１６（＝４×４）個のブロックに分けられる。そこで、ＲＳ符号における符号ブロック数を１６とすることができる。
また、情報ブロック数は、誤りの発生状況に応じて設計することができる。例えば、情報ブロック数を８とすれば、ＲＳ（１６，８）符号となる。この符号は、符号化された情報に４ブロック（＝（１６−８）÷２）の誤りが発生しても、それを補正することができる。また、誤りの位置を特定できれば、訂正能力をさらに向上することができる。なお、この場合、情報ブロックに格納される情報量は、４０ビット（＝５ビット×８ブロック）であるが、このうち３２ビットを用いる。
【００４０】
次に、位置情報の符号化について説明する。
位置情報の符号化には、擬似乱数系列の一種であるＭ系列符号が使用される。ここで、Ｍ系列とは、Ｋ段の線形シフトレジスタで発生できる最大周期の系列であり、２Ｋ−１の系列長をもつ。このＭ系列から取り出した任意の連続したＫビットは、同じＭ系列中の他の位置に現れない性質をもつ。そこで、この性質を利用することにより、位置情報を符号化することができる。
ところで、本実施の形態では、符号化すべき位置情報の長さから、必要なＭ系列の次数を求め、Ｍ系列を生成している。しかしながら、符号化する位置情報の長さが予め分かっている場合は、Ｍ系列を毎回生成する必要はない。すなわち、固定のＭ系列を予め生成しておき、それをメモリ等に格納しておけばよい。
例えば、系列長８１９１のＭ系列（Ｋ＝１３）を使用したとする。
この場合、位置情報も５ビット単位で埋め込むため、系列長８１９１のＭ系列から５ビットずつ取り出してブロック化する。図８では、Ｍ系列「１１０１００１１０１１０１０…」が、５ビットずつブロック化されている。
【００４１】
このように、本実施の形態では、位置情報と紙ＩＤとで、異なる符号化方式を用いている。これは、紙ＩＤの検出能力を、位置情報の検出能力よりも高くなるように設定する必要があるからである。つまり、位置情報は、紙面の位置を取得するための情報なので、ノイズ等によって復号できない部分があっても、その部分が欠損するだけで他の部分には影響しない。これに対し、紙ＩＤは、復号に失敗すると、筆記情報を反映する対象を検出できなくなるからである。さらに、このような構成とすることによって、位置情報と紙ＩＤを復号する際の画像読取範囲を最小化できる。すなわち、位置情報にＲＳ符号等の境界を有する符号化方式を使用すると、それを復号する際には境界間の符号を読み取る必要があるため、画像を読み取る範囲は図７（ｂ）に示した領域の２倍の領域とする必要がある。しかし、Ｍ系列を使用することで、図７（ｂ）に示した領域と同じ大きさの領域を読み取ればよい構成にできる。これは、Ｍ系列の性質上、Ｍ系列の任意の部分系列から位置情報を復号できるからである。すなわち、紙ＩＤと位置情報を復号する際には、図７（ｂ）に示した大きさの領域を読み取る必要があるが、その読み取る位置は、図７（ｂ）に示した境界と一致させる必要はない。位置情報は、Ｍ系列の任意位置の部分系列から復号できる。紙ＩＤは、同じ情報が用紙全面に配置されるため、図７（ｂ）に図示した境界から読取位置がずれても、読み取られた情報の断片を再配置することで元の情報を復元することができる。
【００４２】
以上のように、紙ＩＤがブロック分割された後、ＲＳ符号により符号化され、また、位置情報がＭ系列により符号化された後、ブロック分割されると、図示するように、ブロックが合成される。すなわち、これらのブロックは、図示するようなフォーマットで２次元平面に展開される。図８に示したフォーマットは、図７（ｂ）に示したフォーマットに対応している。すなわち、黒の四角が同期符号を意味している。
また、横方向に配置された「１」、「２」、「３」、「４」、…がＸ位置符号を、縦方向に配置された「１」、「２」、「３」、「４」、…がＹ位置符号を、それぞれ意味している。位置符号は、用紙の位置が異なれば異なる情報が配置されるので、座標位置に対応する数字で示しているのである。一方、斜線部分の四角が識別符号を意味している。識別符号は、用紙の位置が異なっても同じ情報が配置されるので、全て同じマークで示しているのである。
ところで、図からも分かる通り、２つの同期符号の間には、４個のビットパターンがある。したがって、２０（＝５×４）ビットのＭ系列の部分系列を配置することができる。２０ビットの部分系列から１３ビットの部分系列を取り出せば、その１３ビットが全体（８１９１）の中のどの部分の部分系列なのかを特定することができる。このように、２０ビットのうち１３ビットを位置の特定に使用した場合、取り出した１３ビットの誤りの検出又は訂正を、残りの７ビットを使用して行うことができる。すなわち、Ｍ系列を生成したときと同じ生成多項式を使用して、２０ビットの整合性を確認することで、誤りの検出と訂正が可能となるのである。
その後、各ブロックにおけるビットパターンが、ドット画像を参照することにより画像化される。そして、図８の最右に示すようなドットで情報を表す出力画像が生成される。
【００４３】
図９は、電子文書管理テーブル９１０のデータ構造例を示す説明図である。
図９は、各用紙に印刷された電子文書を管理するためのテーブルの例を示している。
図示するように、電子文書管理テーブル９１０は、識別情報欄９１２、フォーム定義ＩＤ欄９１４、印刷パラメータ欄９１６、筆記情報欄９２０を有している。
識別情報欄９１２内の識別情報は、紙ＩＤである。
フォーム定義ＩＤ欄９１４内には、各用紙に印刷された電子文書が印刷時に使用したフォーム定義のＩＤが含まれる。
印刷パラメータ欄９１６内の印刷パラメータは、各用紙に電子文書を印刷した際に設定した印刷パラメータである。図では、印刷パラメータを、「ページ（Ｐ），余白（Ａ，Ｂ，Ｃ，Ｄ）」という形式で示している。Ｐはページ番号であり、Ａ、Ｂ、Ｃ、Ｄは、それぞれ、左側、右側、上側、下側の余白（単位はｍｍ）である。なお、ここでは、印刷パラメータとしてページ及び余白を示したが、これに限られるものではない。この他にも、通常の印刷で用いられる種々の印刷パラメータを管理することが可能である。
筆記情報欄９２０には、各電子文書に重合された筆記情報が含まれる。筆記情報は電子ペン２３５による一筆ごとのデータとなっており、一筆の筆記情報は、（Ｘ座標、Ｙ座標）の列になっている。
【００４４】
図９の例に示す電子文書管理テーブル９１０について、より具体的に説明する。
まず、１行目から４行目は、フォーム定義ＩＤ：００１００１１で示されるフォーム定義をもとに用紙が２部印刷されたことを示している。フォーム定義ＩＤ：００１００１１の文書は２ページからなっており、その際、１部は、左右上下の余白が１ｍｍで印刷され、もう１部は、左右上下の余白が２ｍｍで印刷されている。
【００４５】
図１２は、紙ＩＤ空間付きフォーム定義生成システム２１０の構成例についての概念的なモジュール構成図である。
紙ＩＤ空間付きフォーム定義生成システム２１０は、紙ＩＤ空間付きフォーム定義生成モジュール１２１０、紙ＩＤ空間管理モジュール１２２０、フォーム定義記憶モジュール１２３０を有している。紙ＩＤ空間付きフォーム定義生成モジュール１２１０は、前述の用紙識別情報必要数受付モジュール１００、比較モジュール１１０、割当モジュール１２０、割当禁止モジュール１３０に該当する。紙ＩＤ空間管理モジュール１２２０は、前述の対応付モジュール１４０に該当する。
【００４６】
紙ＩＤ空間付きフォーム定義生成システム２１０は、紙ＩＤ空間付きフォーム定義を生成するシステムである。利用者から、フォーム定義と、そのフォーム定義に割り当てる紙ＩＤ空間のサイズ（フォーム定義の個数）の指示を受け、指示されたサイズの紙ＩＤ空間を割り当てた紙ＩＤ空間付きフォーム定義を生成し、出力する。
フォーム定義記憶モジュール１２３０は、紙ＩＤ空間の割り当ての対象となるフォーム定義を記憶する。例えば、前述のフィールド定義テーブル１０００等を記憶する。
紙ＩＤ空間管理モジュール１２２０は、フォーム定義に割り当てる紙ＩＤ空間を管理する。割り当てる紙ＩＤ空間のサイズの入力を受けた場合、指定されたサイズの具体的な紙ＩＤ空間を出力する。紙ＩＤ空間管理モジュール１２２０内には、まだどのフォーム定義にも割り付けられていない紙ＩＤ空間の先頭のＩＤと最後のＩＤが格納されている。例えば「ｓｔａｒｔ：００１１００００，ｅｎｄ：０１ＦＦＦＦＦＦ」である。部分空間のサイズの指示を受けた場合、ｓｔａｒｔ：を始点として指定サイズの部分空間を出力する。例えば、「ｓｔａｒｔ：００１１００００，ｅｎｄ：０１ＦＦＦＦＦＦ」の状態で１０進数表記では４０９６のサイズが指定された場合、「ｓｔａｒｔ：００１１００００，ｅｎｄ：００１１０ＦＦＦ」  が出力され、紙ＩＤ空間管理モジュール１２２０内は、「ｓｔａｒｔ：００１１１０００，ｅｎｄ：０１ＦＦＦＦＦＦ」となる。
紙ＩＤ空間付きフォーム定義生成モジュール１２１０は、フォーム定義記憶モジュール１２３０からフォーム定義を取り出し、同フォーム定義に、紙ＩＤ空間管理モジュール１２２０から取り出した紙ＩＤ空間を割り当てて、紙ＩＤ空間付きフォーム定義を作成し、出力する。
【００４７】
図１３は、紙ＩＤ空間付きフォーム定義生成システム２１０による処理例を示すフローチャートである。
ステップＳ１３０２では、用紙識別情報必要数受付モジュール１００は、フォーム定義と、フォーム定義に割り当てる紙ＩＤの数を受け付ける。
ステップＳ１３０４では、比較モジュール１１０は、割り当てるに足るサイズの紙ＩＤ空間が存在するか否かを判断し、存在する場合はステップＳ１３０６へ進み、それ以外の場合は処理を終了する（ステップＳ１３９８）。
ステップＳ１３０６では、割当モジュール１２０は、割り当てる紙ＩＤ空間の情報を紙ＩＤ空間管理モジュール１２２０から取り出す。割当禁止モジュール１３０は、取り出した紙ＩＤ空間を、再割り当て禁止として紙ＩＤ空間管理モジュール１２２０に登録する。
ステップＳ１３０８では、対応付モジュール１４０は、紙ＩＤ空間をフォーム定義に割り当て、紙ＩＤ空間付きフォーム定義を生成する。
【００４８】
図１４は、電子ペン用紙印刷システム２２０の構成例についての概念的なモジュール構成図である。
電子ペン用紙印刷システム２２０は、印刷指示受付モジュール１４１０、印刷情報生成モジュール１４２０、紙ＩＤ空間付きフォーム定義管理モジュール１４３０、紙ＩＤ空間付きフォーム定義登録モジュール１４４０を有しており、印刷装置２２５と接続されている。
印刷指示受付モジュール１４１０は、紙ＩＤ空間付きフォーム定義管理モジュール１４３０に管理されている紙ＩＤ空間付きフォーム定義のうち、電子ペン用紙として印刷するフォーム定義を指定し、印刷部数の指示を受け付ける。この指示は、操作者のキーボード等による操作によって行われてもよいし、予め定められた指示であってもよい。
【００４９】
印刷情報生成モジュール１４２０は、紙に印刷するための紙ＩＤを示す画像である情報画像を生成する。そして、生成した情報画像を文書情報に重ね合わせて、印刷用の画像を生成する。
具体的には、印刷情報生成モジュール１４２０は、印刷指示受付モジュール１４１０によって受け付けられた指示に基づいて、印刷情報を作成する。印刷情報は、印刷指示受付モジュール１４１０から指定された紙ＩＤ空間付きフォーム定義に含まれるフォーム定義のイメージ情報に、同紙ＩＤ空間付きフォーム定義に割り当てられた紙ＩＤ群のうちで未使用なものから構成されたドットコード画像を重畳したものである。印刷情報の生成時に使用された紙ＩＤの情報は、紙ＩＤ空間付きフォーム定義管理モジュール１４３０に反映する。つまり、使用済みであることを示すフラグ等を付す。割り当てる紙ＩＤは、使用された紙ＩＤの情報の管理を容易にするため、昇順、又は、降順に割り当てていくのが望ましい。
印刷装置２２５は、印刷情報生成モジュール１４２０によって生成された画像を用紙に印刷する。
【００５０】
紙ＩＤ空間付きフォーム定義管理モジュール１４３０には、複数の紙ＩＤ空間付きフォーム定義が格納されている。そして、個々の紙ＩＤ空間付きフォーム定義に対して、割り当てられている紙ＩＤ空間のうちのどの部分が印刷により消費されたかも、合わせて管理している。
紙ＩＤ空間付きフォーム定義登録モジュール１４４０は、新たな紙ＩＤ空間付きフォーム定義を、紙ＩＤ空間付きフォーム定義管理モジュール１４３０に登録する。
【００５１】
図１５は、電子ペン用紙印刷システム２２０による処理例を示すフローチャートである。
ステップＳ１５０２では、印刷指示受付モジュール１４１０は、紙ＩＤ空間付きフォーム定義及び印刷部数の指示を受け付ける。
ステップＳ１５０４では、印刷情報生成モジュール１４２０は、未使用の紙ＩＤが指定された紙ＩＤ空間付きフォーム定義に割り当てられている紙ＩＤ群の中に残っているか否かを判断し、残っている場合はステップＳ１５０６へ進み、それ以外の場合は処理を終了する（ステップＳ１５９８）。
ステップＳ１５０６では、印刷情報生成モジュール１４２０は、印刷部数分の処理が終了していないか否かを判断し、終了していない場合はステップＳ１５０８へ進み、それ以外の場合はステップＳ１５１２へ進む。
ステップＳ１５０８では、印刷情報生成モジュール１４２０は、イメージ情報に指定された紙ＩＤ空間付きフォーム定義に割り当てられている紙ＩＤ群の中でまだ未使用の紙ＩＤを割り当て、紙ＩＤから生成したドットコード画像を、イメージ情報に重畳して、印刷情報を作成する。
ステップＳ１５１０では、印刷情報生成モジュール１４２０は、印刷装置２２５に印刷情報を送付する。印刷装置２２５は、この印刷情報を用紙に印刷する。
ステップＳ１５１２では、紙ＩＤ空間付きフォーム定義登録モジュール１４４０は、紙ＩＤの使用状況を登録する。
【００５２】
図１６は、本実施の形態の構成例についての概念的なモジュール構成図であり、筆記情報処理システム２３０内のモジュール構成の例を示している。つまり、印刷装置２２５によって印刷された用紙に対して電子ペン２３５によって筆記が行われ、その筆記に関する筆記情報を受け取って、処理を行うものである。
筆記情報受付モジュール１６００、判断（Ａ）モジュール１６１０、文書記憶モジュール１６１５、判断（Ｂ）モジュール１６２０、筆記情報記憶モジュール１６２２、定義情報記憶モジュール１６２４、定義情報取出モジュール１６３０、文書生成モジュール１６４０、重合モジュール１６５０、出力モジュール１６６０を有している。
【００５３】
筆記情報受付モジュール１６００は、判断（Ａ）モジュール１６１０と接続されている。筆記情報受付モジュール１６００は、文書情報が印刷された用紙に対する筆記と、その用紙を識別する情報である用紙識別情報を筆記情報として受け付ける。具体的には、電子ペン２３５によって読み取られた画像から復号した情報を受け付ける。
【００５４】
判断（Ａ）モジュール１６１０は、筆記情報受付モジュール１６００、文書記憶モジュール１６１５、判断（Ｂ）モジュール１６２０と接続されている。判断（Ａ）モジュール１６１０は、筆記情報受付モジュール１６００によって受け付けられた筆記情報内の用紙識別情報に対応する文書を取り出せるか否かを判断する。なお、用紙識別情報に対応する文書を取り出せると判断した場合は、重合モジュール１６５０へ処理を移し、前述したように筆記情報を電子文書に重ね合わせる処理を行う。
文書記憶モジュール１６１５は、判断（Ａ）モジュール１６１０、重合モジュール１６５０と接続されている。文書記憶モジュール１６１５は、用紙識別情報と電子文書の対応を記憶している。具体的には、図９に例示の電子文書管理テーブル９１０を記憶している。
【００５５】
判断（Ｂ）モジュール１６２０は、判断（Ａ）モジュール１６１０、筆記情報記憶モジュール１６２２、定義情報記憶モジュール１６２４、定義情報取出モジュール１６３０と接続されている。判断（Ｂ）モジュール１６２０は、判断（Ａ）モジュール１６１０によって取り出せないと判断した場合は、定義情報記憶モジュール１６２４から、その用紙識別情報を定義識別情報とし、用紙内の欄に関する定義を示す情報を取り出せるか否かを判断する。紙ＩＤ空間付きフォーム定義生成システム２１０による処理が行われた用紙識別情報であるか否かを判断するものである。
【００５６】
また、判断（Ｂ）モジュール１６２０は、取り出せないと判断した場合は、筆記情報受付モジュール１６００によって受け付けられた筆記情報を筆記情報記憶モジュール１６２２に記憶させるように制御するようにしてもよい。筆記情報処理システム２３０による処理を行う時点では、筆記情報内の用紙識別情報に該当するものが定義情報記憶モジュール１６２４内に記憶されていない場合に、その筆記情報が記憶される。例えば、図１１に例示の紙ＩＤ・フォーム定義対応テーブル１１００、図１０に例示のフィールド定義テーブル１０００が未だ生成されていない場合、紙ＩＤ・フォーム定義対応テーブル１１００、フィールド定義テーブル１０００は生成されているが、定義情報記憶モジュール１６２４には未だ記憶されていない場合がある。
そして、判断（Ｂ）モジュール１６２０は、定義情報記憶モジュール１６２４に新たな定義識別情報が記憶された場合は、筆記情報記憶モジュール１６２２に記憶された筆記情報内の用紙識別情報を定義識別情報とし、定義情報記憶モジュール１６２４から、用紙内の欄に関する定義を示す情報を取り出せるか否かを判断するようにしてもよい。例えば、既に生成されていた紙ＩＤ・フォーム定義対応テーブル１１００、フィールド定義テーブル１０００が、定義情報記憶モジュール１６２４に記憶された場合、紙ＩＤ・フォーム定義対応テーブル１１００、フィールド定義テーブル１０００が生成されて、定義情報記憶モジュール１６２４に記憶された場合に対応するものである。
そして、筆記情報記憶モジュール１６２２から取り出した筆記情報に対して、筆記情報受付モジュール１６００が受け付けた筆記情報と同等に処理を行えばよい。
【００５７】
定義情報記憶モジュール１６２４は、判断（Ｂ）モジュール１６２０、定義情報取出モジュール１６３０と接続されている。定義情報記憶モジュール１６２４は、定義識別情報と用紙内の欄に関する定義を示す情報とを対応付けて記憶している。具体的には、図１１に例示の紙ＩＤ・フォーム定義対応テーブル１１００、図１０に例示のフィールド定義テーブル１０００を記憶している。
筆記情報記憶モジュール１６２２は、判断（Ｂ）モジュール１６２０と接続されている。筆記情報記憶モジュール１６２２は、判断（Ｂ）モジュール１６２０によって取り出せないと判断した場合の筆記情報を記憶する。
【００５８】
定義情報取出モジュール１６３０は、判断（Ｂ）モジュール１６２０、定義情報記憶モジュール１６２４、文書生成モジュール１６４０と接続されている。定義情報取出モジュール１６３０は、判断（Ｂ）モジュール１６２０によって取り出せると判断した場合は、定義情報記憶モジュール１６２４から、用紙識別情報を定義識別情報とし、用紙内の欄に関する定義を示す情報を取り出す。
文書生成モジュール１６４０は、定義情報取出モジュール１６３０、重合モジュール１６５０と接続されている。文書生成モジュール１６４０は、定義情報取出モジュール１６３０によって取り出された用紙内の欄に関する定義を示す情報に基づいて、文書を生成する。フィールド定義６２０だけでなく、帳票イメージ６１０を用いて文書を生成してもよい。
重合モジュール１６５０は、文書生成モジュール１６４０、出力モジュール１６６０、文書記憶モジュール１６１５と接続されている。重合モジュール１６５０は、文書生成モジュール１６４０によって生成された文書に、筆記情報受付モジュール１６００によって受け付けられた筆記情報内の筆記を重ね合わせたのち、文書記憶モジュール１６１５に登録する。ここでいう重合、あるいは、重ね合わせとは、具体的には、対象となる筆記を、電子文書管理テーブル９１０の該当する電子文書の筆記情報として追加することを指す。。
【００５９】
出力モジュール１６６０は、重合モジュール１６５０と接続されている。出力モジュール１６６０は、重合モジュール１６５０によって生成された文書（筆記が追加された文書）を出力する。文書を出力するとは、例えば、プリンタ等の印刷装置で印刷すること、ディスプレイ等の表示装置に表示すること、ファックス等の画像送信装置で画像を送信すること、画像データベース等の画像記憶装置へ画像を書き込むこと、他の情報処理装置（例えば、筆記情報を解析する情報処理装置）へ渡すこと等が含まれる。
【００６０】
図１７は、筆記情報処理システム２３０の構成例についての概念的なモジュール構成図である。
筆記情報処理システム２３０は、筆記情報受付モジュール１７１０、筆記情報処理モジュール１７２０、電子文書管理モジュール１７３０、電子文書表示モジュール１７４０、電子文書生成モジュール１７５０、紙ＩＤ空間付きフォーム定義登録モジュール１７６０、紙ＩＤ空間付きフォーム定義管理モジュール１７７０を有している。筆記情報受付モジュール１７１０は、前述の筆記情報受付モジュール１６００に該当する。筆記情報処理モジュール１７２０は、前述の判断（Ａ）モジュール１６１０、判断（Ｂ）モジュール１６２０、重合モジュール１６５０に該当する。電子文書管理モジュール１７３０は、前述の文書記憶モジュール１６１５に該当する。電子文書表示モジュール１７４０は、前述の出力モジュール１６６０に該当する。電子文書生成モジュール１７５０は、前述の定義情報取出モジュール１６３０、文書生成モジュール１６４０に該当する。紙ＩＤ空間付きフォーム定義管理モジュール１７７０は、前述の定義情報記憶モジュール１６２４に該当する。
【００６１】
筆記情報処理システム２３０は、電子ペン２３５から筆記情報を取り出し、その筆記情報を処理し、管理するシステムである。
筆記情報処理システム２３０に取り込まれた筆記情報は、筆記がなされた電子ペン用紙に対応する電子文書にマージされ、電子文書管理モジュール１７３０に格納される。ここで、マージするとは、電子文書に筆記を書き込む（重ね合わせる）ことをいう。つまり、物理的な電子ペン用紙に行われた書き込みが、その電子ペン用紙に対応する電子文書にも行われるようにすることである。具体的には、筆記情報を、電子文書管理テーブル９１０の該電子文書に該当する部分に追加する。
他の機能としては、電子文書管理モジュール１７３０に格納されている電子文書を呼び出してその内容を表示したり、電子文書内の筆記情報を手書き文字認識してテキストデータに変換したり、といったことが可能である。
紙ＩＤ空間付きフォーム定義管理モジュール１７７０には、複数の紙ＩＤ空間付きフォーム定義が格納されている。
紙ＩＤ空間付きフォーム定義登録モジュール１７６０は、新たな紙ＩＤ空間付きフォーム定義を、紙ＩＤ空間付きフォーム定義管理モジュール１７７０に登録する。
【００６２】
電子文書管理モジュール１７３０は、電子文書を管理する。
筆記情報受付モジュール１７１０は、電子ペンから筆記情報を受け付ける。
筆記情報処理モジュール１７２０は、筆記情報受付モジュールが受け付けた筆記情報を格納すべき電子文書を、電子文書管理モジュール１７３０から呼び出し、筆記情報を電子文書にマージして、電子文書管理モジュール１７３０に再度格納する。該当する電子文書が電子文書管理モジュール１７３０に存在しない場合は、電子文書生成モジュール１７５０を呼び出して、筆記情報を格納するための電子文書の生成を試みる。
電子文書生成モジュール１７５０は、筆記情報を格納するための電子文書を生成する。
電子文書表示モジュール１７４０は、電子文書を電子文書管理モジュール１７３０から呼び出し、内容を表示する。
【００６３】
図１８は、筆記情報処理システム２３０による処理例を示すフローチャートである。
ステップＳ１８０２では、筆記情報受付モジュール１６００は、未処理の筆記情報が存在するか否かを判断し、存在する場合はステップＳ１８０４へ進み、それ以外の場合は処理を終了する（ステップＳ１８９９）。
ステップＳ１８０４では、筆記情報受付モジュール１６００は、筆記情報を一つ取り出す。
ステップＳ１８０６では、判断（Ａ）モジュール１６１０は、前期筆記情報に含まれる紙ＩＤに対応する電子文書が文書記憶モジュール１６１５に登録済か否かを判断し、登録済である場合はステップＳ１８０８へ進み、それ以外の場合はステップＳ１８１０へ進む。
ステップＳ１８０８では、文書生成モジュール１６４０は、紙ＩＤに対応する電子文書を文書記憶モジュール１６１５から取り出す。
【００６４】
ステップＳ１８１０では、判断（Ｂ）モジュール１６２０は、筆記情報の紙ＩＤを定義識別情報群の中に含む紙ＩＤ空間付きフォーム定義が定義情報記憶モジュール１６２４に登録されているか否かを判断し、登録されている場合はステップＳ１８１２へ進み、それ以外の場合はステップＳ１８１４へ進む。
ステップＳ１８１２では、定義情報取出モジュール１６３０は、該紙ＩＤ空間付きフォーム定義からフォーム定義を取り出し、文書生成モジュール１６４０は、該フォーム定義をもとに、筆記情報に含まれる紙ＩＤを持つ電子文書を作成する。
ステップＳ１８１４では、判断（Ｂ）モジュール１６２０は、電子文書に割り当て不能な筆記情報として筆記情報記憶モジュール１６２２に蓄積する。対応する紙ＩＤ空間付きフォーム定義が存在しない筆記情報は、割り当て不能な筆記情報として、筆記情報記憶モジュール１６２２に蓄積しておく。
ステップＳ１８１６では、重合モジュール１６５０は、筆記情報を、電子文書（ステップＳ１８０８で取り出した電子文書又はステップＳ１８１２で作成した電子文書）にマージし、文書記憶モジュール１６１５に登録する。
【００６５】
図１９は、筆記情報処理システム２３０による処理例を示すフローチャートである。このフローチャートは、新たな紙ＩＤ空間付きフォーム定義が登録された場合、割り当て不能な筆記情報として筆記情報記憶モジュール１６２２に管理されていた筆記情報が、新たな紙ＩＤ空間付きフォーム定義に対応するかどうかを調べ、対応するのであれば、新たな電子文書を生成して筆記情報を同文書にマージする処理を示している。
【００６６】
ステップＳ１９０２では、判断（Ｂ）モジュール１６２０は、定義情報記憶モジュール１６２４に新たな紙ＩＤ空間付きフォーム定義が登録されたか否かを判断し、登録された場合はステップＳ１９０４へ進み、それ以外の場合はステップＳ１９０２へ戻る。
ステップＳ１９０４では、判断（Ａ）モジュール１６１０は、割り当て不能な筆記情報が存在するか否かを判断し、存在する場合はステップＳ１９０６へ進み、それ以外の場合はステップＳ１９０２へ戻る。
ステップＳ１９０６では、判断（Ａ）モジュール１６１０は、割り当て不能な筆記情報を一つ取り出す。
ステップＳ１９０８では、判断（Ａ）モジュール１６１０は、筆記情報の紙ＩＤに対応する電子文書が文書記憶モジュール１６１５に登録済か否かを判断し、登録済である場合はステップＳ１９１０へ進み、それ以外の場合はステップＳ１９１２へ進む。
【００６７】
ステップＳ１９１０では、文書生成モジュール１６４０は、紙ＩＤに対応する電子文書を文書記憶モジュール１６１５から取り出す。
ステップＳ１９１２では、判断（Ｂ）モジュール１６２０は、筆記情報の紙ＩＤを定義識別情報群の中に含む紙ＩＤ空間付きフォーム定義が定義情報記憶モジュール１６２４に登録されているか否かを判断し、登録されている場合はステップＳ１９１４へ進み、それ以外の場合はステップＳ１９１６へ進む。
ステップＳ１９１４では、定義情報取出モジュール１６３０は、該紙ＩＤ空間付きフォーム定義からフォーム定義を取り出し、文書生成モジュール１６４０は、該フォーム定義をもとに、筆記情報に含まれる紙ＩＤを持つ電子文書を作成する。
ステップＳ１９１６では、判断（Ｂ）モジュール１６２０は、電子文書に割り当て不能な筆記情報として筆記情報記憶モジュール１６２２に蓄積する。
ステップＳ１９１８では、重合モジュール１６５０は、筆記情報を、電子文書（ステップＳ１９１０で取り出した電子文書又はステップＳ１９１４で作成した電子文書）にマージし、文書記憶モジュール１６１５に登録する。
【００６８】
図２０を参照して、本実施の形態の紙ＩＤ空間付きフォーム定義生成システム２１０、電子ペン用紙印刷システム２２０、筆記情報処理システム２３０のハードウェア構成例について説明する。図２０に示す構成は、例えばパーソナルコンピュータ（ＰＣ）などによって構成されるものであり、スキャナ等のデータ読み取り部２０１７と、プリンタなどのデータ出力部２０１８を備えたハードウェア構成例を示している。
【００６９】
ＣＰＵ（Ｃｅｎｔｒａｌ  Ｐｒｏｃｅｓｓｉｎｇ  Ｕｎｉｔ）２００１は、前述の実施の形態において説明した各種のモジュール、すなわち、用紙識別情報必要数受付モジュール１００、比較モジュール１１０、割当モジュール１２０、割当禁止モジュール１３０、対応付モジュール１４０、紙ＩＤ空間付きフォーム定義生成モジュール１２１０、フォーム定義記憶モジュール１２３０、印刷指示受付モジュール１４１０、印刷情報生成モジュール１４２０、紙ＩＤ空間付きフォーム定義登録モジュール１４４０、筆記情報受付モジュール１６００、判断（Ａ）モジュール１６１０、文書記憶モジュール１６１５、判断（Ｂ）モジュール１６２０、筆記情報記憶モジュール１６２２、定義情報記憶モジュール１６２４、定義情報取出モジュール１６３０、文書生成モジュール１６４０、重合モジュール１６５０、出力モジュール１６６０、筆記情報受付モジュール１７１０、筆記情報処理モジュール１７２０、電子文書表示モジュール１７４０、電子文書生成モジュール１７５０、紙ＩＤ空間付きフォーム定義登録モジュール１７６０等の各モジュールの実行シーケンスを記述したコンピュータ・プログラムにしたがった処理を実行する制御部である。
【００７０】
ＲＯＭ（Ｒｅａｄ  Ｏｎｌｙ  Ｍｅｍｏｒｙ）２００２は、ＣＰＵ２００１が使用するプログラムや演算パラメータ等を格納する。ＲＡＭ（Ｒａｎｄｏｍ  Ａｃｃｅｓｓ  Ｍｅｍｏｒｙ）２００３は、ＣＰＵ２００１の実行において使用するプログラムや、その実行において適宜変化するパラメータ等を格納する。これらはＣＰＵバスなどから構成されるホストバス２００４により相互に接続されている。
【００７１】
ホストバス２００４は、ブリッジ２００５を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バスなどの外部バス２００６に接続されている。
【００７２】
キーボード２００８、マウス等のポインティングデバイス２００９は、操作者により操作される入力デバイスである。ディスプレイ２０１０は、液晶表示装置又はＣＲＴ（Ｃａｔｈｏｄｅ  Ｒａｙ  Ｔｕｂｅ）などがあり、各種情報をテキストやイメージ情報として表示する。
【００７３】
ＨＤＤ（Ｈａｒｄ  Ｄｉｓｋ  Ｄｒｉｖｅ）２０１１は、ハードディスクを内蔵し、ハードディスクを駆動し、ＣＰＵ２００１によって実行するプログラムや情報を記録又は再生させる。ハードディスクには、フォーム定義情報、文書情報、情報画像などが格納される。さらに、その他の各種のデータ処理プログラム等、各種コンピュータ・プログラムが格納される。
【００７４】
ドライブ２０１２は、装着されている磁気ディスク、光ディスク、光磁気ディスク、又は半導体メモリ等のリムーバブル記録媒体２０１３に記録されているデータ又はプログラムを読み出して、そのデータ又はプログラムを、インタフェース２００７、外部バス２００６、ブリッジ２００５、及びホストバス２００４を介して接続されているＲＡＭ２００３に供給する。リムーバブル記録媒体２０１３も、ハードディスクと同様のデータ記録領域として利用可能である。
【００７５】
接続ポート２０１４は、外部接続機器２０１５を接続するポートであり、ＵＳＢ、ＩＥＥＥ１３９４等の接続部をもつ。接続ポート２０１４は、インタフェース２００７、及び外部バス２００６、ブリッジ２００５、ホストバス２００４等を介してＣＰＵ２００１等に接続されている。通信部２０１６は、通信回線に接続され、外部とのデータ通信処理を実行する。データ読み取り部２０１７は、例えばスキャナであり、ドキュメントの読み取り処理を実行する。データ出力部２０１８は、例えばプリンタであり、ドキュメントデータの出力処理を実行する。
【００７６】
なお、図２０に示す情報処理装置のハードウェア構成は、１つの構成例を示すものであり、本実施の形態は、図２０に示す構成に限らず、本実施の形態において説明したモジュールを実行可能な構成であればよい。例えば、一部のモジュールを専用のハードウェア（例えば特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ：ＡＳＩＣ）等）で構成してもよく、一部のモジュールは外部のシステム内にあり通信回線で接続しているような形態でもよく、さらに図２０に示すシステムが複数互いに通信回線によって接続されていて互いに協調動作するようにしてもよい。また、複写機、ファックス、スキャナ、プリンタ、複合機（スキャナ、プリンタ、複写機、ファックス等のいずれか２つ以上の機能を有している画像処理装置）などに組み込まれていてもよい。
【００７７】
なお、説明したプログラムについては、記録媒体に格納して提供してもよく、また、そのプログラムを通信手段によって提供してもよい。その場合、例えば、前記説明したプログラムについて、「プログラムを記録したコンピュータ読み取り可能な記録媒体」の発明として捉えてもよい。
「プログラムを記録したコンピュータ読み取り可能な記録媒体」とは、プログラムのインストール、実行、プログラムの流通などのために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、ブルーレイ・ディスク（Ｂｌｕ−ｒａｙ  Ｄｉｓｃ（登録商標））、光磁気ディスク（ＭＯ）、フレキシブルディスク（ＦＤ）、磁気テープ、ハードディスク、読出し専用メモリ（ＲＯＭ）、電気的消去及び書換可能な読出し専用メモリ（ＥＥＰＲＯＭ（登録商標））、フラッシュ・メモリ、ランダム・アクセス・メモリ（ＲＡＭ）、ＳＤ（Ｓｅｃｕｒｅ  Ｄｉｇｉｔａｌ）メモリーカード等が含まれる。
そして、前記のプログラム又はその一部は、前記記録媒体に記録して保存や流通等させてもよい。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、あるいは無線通信ネットワーク、さらにこれらの組み合わせ等の伝送媒体を用いて伝送させてもよく、また、搬送波に乗せて搬送させてもよい。
さらに、前記のプログラムは、他のプログラムの一部分であってもよく、あるいは別個のプログラムと共に記録媒体に記録されていてもよい。また、複数の記録媒体に分割して
記録されていてもよい。また、圧縮や暗号化など、復元可能であればどのような態様で記録されていてもよい。
【符号の説明】
【００７８】
１００…用紙識別情報必要数受付モジュール
１１０…比較モジュール
１２０…割当モジュール
１３０…割当禁止モジュール
１４０…対応付モジュール
２１０…紙ＩＤ空間付きフォーム定義生成システム
２２０…電子ペン用紙印刷システム
２２５…印刷装置
２３０…筆記情報処理システム
２３５…電子ペン
１２１０…紙ＩＤ空間付きフォーム定義生成モジュール
１２２０…紙ＩＤ空間管理モジュール
１２３０…フォーム定義記憶モジュール
１４１０…印刷指示受付モジュール
１４２０…印刷情報生成モジュール
１４３０…紙ＩＤ空間付きフォーム定義管理モジュール
１４４０…紙ＩＤ空間付きフォーム定義登録モジュール
１６００…筆記情報受付モジュール
１６１０…判断（Ａ）モジュール
１６１５…文書記憶モジュール
１６２０…判断（Ｂ）モジュール
１６２２…筆記情報記憶モジュール
１６２４…定義情報記憶モジュール
１６３０…定義情報取出モジュール
１６４０…文書生成モジュール
１６５０…重合モジュール
１６６０…出力モジュール
１７１０…筆記情報受付モジュール
１７２０…筆記情報処理モジュール
１７３０…電子文書管理モジュール
１７４０…電子文書表示モジュール
１７５０…電子文書生成モジュール
１７６０…紙ＩＤ空間付きフォーム定義登録モジュール
１７７０…紙ＩＤ空間付きフォーム定義管理モジュール
【図１】
0005929505.tif 000002
【図２】
0005929505.tif 000003
【図３】
0005929505.tif 000004
【図４】
0005929505.tif 000005
【図５】
0005929505.tif 000006
【図６】
0005929505.tif 000007
【図７】
0005929505.tif 000008
【図８】
0005929505.tif 000009
【図９】
0005929505.tif 000010
【図１０】
0005929505.tif 000011
【図１１】
0005929505.tif 000012
【図１２】
0005929505.tif 000013
【図１３】
0005929505.tif 000014
【図１４】
0005929505.tif 000015
【図１５】
0005929505.tif 000016
【図１６】
0005929505.tif 000017
【図１７】
0005929505.tif 000018
【図１８】
0005929505.tif 000019
【図１９】
0005929505.tif 000020
【図２０】
0005929505.tif 000021